(57)【要約】  制御ロジック図の作成を効率的に行うための制御ロジック図作成支援装置を得ることを目的とし、プラント情報‐制御ロジック図対応情報記憶部１２に記憶された、プラント情報‐制御ロジック図対応付け情報から、作成対象プラントに類似する類似プラントのプラント情報を検索して取得する類似プラント情報検索部１３と、作成対象プラントのプラント情報と類似プラントのプラント情報とを比較して差分情報を取得するプラント情報差分検出部１４と、差分情報に基づいて、類似プラントには含まれるが作成対象プラントでは不要な要素を削除し、作成対象プラントには含まれるが類似プラントには含まれない要素をプラント情報‐制御ロジック図対応情報記憶部１２から検索して要素を追加するプラント情報編集部１５と、プラント情報編集部１５の結果を表示するプラント情報編集結果表示部１６とを備える。
2017158926.tif 000002
【特許請求の範囲】
【請求項１】
作成対象プラントの仕様及び前記作成対象プラントに含まれる設備を木構造で表したプラント情報及び制御ロジック図を入力するプラント情報入力部と、
過去に作成したプラントのプラント情報中の前記設備の各々に制御ロジック図を対応付けた、プラント情報制御ロジック図対応付け情報を記憶するプラント情報制御ロジック図対応情報記憶部と、
前記プラント情報制御ロジック図対応情報記憶部に記憶された、前記プラント情報制御ロジック図対応付け情報から、前記作成対象プラントに類似する類似プラントの前記過去に作成したプラントのプラント情報を検索して取得する類似プラント情報検索部と、
前記作成対象プラントのプラント情報と前記類似プラントの前記過去に作成したプラントのプラント情報とを比較して差分を検出して差分情報を取得し、前記差分情報に基づいて、前記類似プラントには含まれるが前記作成対象プラントでは不要な設備に関する制御ロジック図の要素を削除するプラント情報差分検出部と、
前記作成対象プラントには含まれるが前記類似プラントには含まれない設備に関する制御ロジック図の要素を前記プラント情報制御ロジック図対応情報記憶部から検索して前記要素を追加するプラント情報編集部と、
前記プラント情報編集部の結果を表示するプラント情報編集結果表示部とを備えることを特徴とする制御ロジック図作成支援装置。
【請求項２】
前記プラントの仕様が、プラントの要求事項を特定する要求レベルと、前記プラントの備えるべき機能及び工程を特定する機能及び工程レベルとからなり、
前記木構造では、前記要求レベルの下位階層が前記機能及び工程レベルであり、前記機能及び工程レベルの下位階層が前記設備であり、
前記類似プラント情報検索部が、前記プラント情報入力部で入力された前記プラント情報の前記設備が一致して、前記設備より上位階層の前記プラントの仕様の一致数が最も多いプラント情報を前記類似プラントのプラント情報として取得することを特徴とする請求項１に記載の制御ロジック図作成支援装置。
【請求項３】
前記プラント情報差分検出部が、前記作成対象プラントの前記要求レベルと前記類似プラントの要求レベルとを比較して差分を検出することで差分情報を取得し、前記作成対象プラントの前記機能及び工程レベルと前記類似プラントの前記機能及び工程レベルとを比較して差分を検出することで差分情報を取得することを特徴とする請求項２に記載の制御ロジック図作成支援装置。
【発明の詳細な説明】
【技術分野】
【０００１】
本発明は、プラント及び機器の運転仕様をフローチャート及び論理演算子で記述した制御ロジック図の作成を支援する制御ロジック図作成支援装置に関する。
【背景技術】
【０００２】
従来、上下水道に代表されるプラントの開発では、機器の運転仕様を定めた運転方案をフローチャート及び論理演算子で記述した制御ロジック図が広く用いられている。しかしながら、プラントの開発においては、記述すべき制御ロジック図が数百枚にも及ぶことが多く、その効率的な作成が望まれている。【０００３】
従来技術の一例である特許文献１には、制御ロジック図中の信号及び演算素子の論理的な接続情報及び位置情報を利用し、制御ロジック図に記載のロジックについて他の図面に含まれる類似ロジックを検索し、出現頻度の高い制御ロジックを部品化することで、保守性及び生産性を向上可能なロジック図面検索装置が開示されている。
【先行技術文献】
【特許文献】
【０００４】
【特許文献１】特開２０１２−１８１８２１号公報
【発明の概要】
【発明が解決しようとする課題】
【０００５】
しかしながら、上記の従来技術によれば、出現頻度の高い部品を用いて制御ロジック図を作成することはできるものの、たたき台となる制御ロジック図の試案には至っていない。そのため、制御ロジック図の作成が未だ非効率である、という問題があった。【０００６】
本発明は、上記に鑑みてなされたものであって、制御ロジック図の作成を効率的に行うための制御ロジック図作成支援装置を得ることを目的とする。
【課題を解決するための手段】
【０００７】
上述した課題を解決し、目的を達成するために、本発明は、作成対象プラントの仕様及び前記作成対象プラントに含まれる設備を木構造で表したプラント情報及び制御ロジック図を入力するプラント情報入力部と、過去に作成したプラントのプラント情報中の前記設備の各々に制御ロジック図を対応付けた、プラント情報制御ロジック図対応付け情報を記憶するプラント情報制御ロジック図対応情報記憶部と、前記プラント情報制御ロジック図対応情報記憶部に記憶された、前記プラント情報制御ロジック図対応付け情報から、前記作成対象プラントに類似する類似プラントの前記過去に作成したプラントのプラント情報を検索して取得する類似プラント情報検索部と、前記作成対象プラントのプラント情報と前記類似プラントの前記過去に作成したプラントのプラント情報とを比較して差分を検出して差分情報を取得し、前記差分情報に基づいて、前記類似プラントには含まれるが前記作成対象プラントでは不要な設備に関する制御ロジック図の要素を削除するプラント情報差分検出部と、前記作成対象プラントには含まれるが前記類似プラントには含まれない設備に関する制御ロジック図の要素を前記プラント情報制御ロジック図対応情報記憶部から検索して前記要素を追加するプラント情報編集部と、前記プラント情報編集部の結果を表示するプラント情報編集結果表示部とを備えることを特徴とする。
【発明の効果】
【０００８】
本発明によれば、制御ロジック図の作成を効率的に行うための制御ロジック図作成支援装置を得ることができるという効果を奏する。
【図面の簡単な説明】
【０００９】
【図１】実施の形態１にかかる制御ロジック図作成支援装置の一構成例を示すブロック図
【図２】図１に示す制御ロジック図作成支援装置を実現するハードウェアの一構成例であるＰＣ（Ｐｅｒｓｏｎａｌ  Ｃｏｍｐｕｔｅｒ）を示すブロック図
【図３】図１に示すプラント情報入力部から入力されるプラント情報の一例を示す図
【図４】図１に示すプラント情報入力部から入力される制御ロジック図の一例を示す図
【図５】プラント情報入力部の一動作例を示すフローチャート
【図６】類似プラント情報検索部の一動作例を示すフローチャート
【図７】図６に示す類似判定処理の詳細を示すフローチャート
【図８】プラント情報差分検出部の一動作例を示すフローチャート
【図９】プラント情報編集部の一動作例を示すフローチャート
【図１０】実施の形態２にかかる制御ロジック図作成支援装置の一構成例を示すブロック図
【図１１】制御ロジック図編集部の一動作例を示すフローチャート
【発明を実施するための形態】
【００１０】
以下に、本発明の実施の形態にかかる制御ロジック図作成支援装置を図面に基づいて詳細に説明する。なお、この実施の形態によりこの発明が限定されるものではない。
【００１１】
実施の形態１．
図１は、本発明の実施の形態１にかかる制御ロジック図作成支援装置の一構成例を示すブロック図である。図１に示す制御ロジック図作成支援装置１０は、プラント情報入力部１１と、プラント情報‐制御ロジック図対応情報記憶部１２と、類似プラント情報検索部１３と、プラント情報差分検出部１４と、プラント情報編集部１５と、プラント情報編集結果表示部１６とを備える。
【００１２】
プラント情報入力部１１は、プラントの仕様及びプラントに含まれる設備を木構造で表したプラント情報及び制御ロジック図を入力する。
【００１３】
プラント情報‐制御ロジック図対応情報記憶部１２は、設備に関する制御ロジック図の要素及びプラント情報‐制御ロジック図対応付け情報を記憶する。なお、プラント情報‐制御ロジック図対応付け情報は、プラント情報中の各設備に、当該設備の制御ロジック図を対応付けた情報である。なお、プラント情報‐制御ロジック図対応付け情報は、プラント情報制御ロジック図対応付け情報と記載することがあり、プラント情報‐制御ロジック図対応情報記憶部１２は、プラント情報制御ロジック図対応情報記憶部１２と記載することがあるものとする。
【００１４】
類似プラント情報検索部１３は、プラント情報‐制御ロジック図対応情報記憶部１２に記憶された、過去に作成したプラントのプラント情報‐制御ロジック図対応付け情報から、作成対象プラントに類似する類似プラントのプラント情報を検索して取得する。
【００１５】
プラント情報差分検出部１４は、作成対象プラントのプラント情報と類似プラントのプラント情報とを階層ごとに比較して差分を検出して差分情報を取得する。一例として、後に説明するように要求レベルの下位階層に機能及び工程レベルがある場合には、作成対象プラントの要求レベルと類似プラントの要求レベルとを比較して差分を検出することで要求レベルの差分情報を取得し、作成対象プラントの機能及び工程レベルと類似プラントの機能及び工程レベルとを比較して差分を検出することで機能及び工程レベルの差分情報を取得する。
【００１６】
プラント情報編集部１５は、プラント情報差分検出部１４が取得した差分情報から、類似プラントには含まれるが作成対象プラントでは不要な設備に関する制御ロジック図の要素を削除し、作成対象プラントには含まれるが類似プラントには含まれない設備に関する制御ロジック図の要素をプラント情報‐制御ロジック図対応情報記憶部１２から検索して追加する。
【００１７】
プラント情報編集結果表示部１６は、プラント情報編集部１５の結果を表示する。
【００１８】
図２は、図１に示す制御ロジック図作成支援装置１０を実現するハードウェアの一構成例であるＰＣ（Ｐｅｒｓｏｎａｌ  Ｃｏｍｐｕｔｅｒ）を示すブロック図である。図２に示すＰＣ１は、演算を行うＣＰＵ（Ｃｅｎｔｒａｌ  Ｐｒｏｃｅｓｓｉｎｇ  Ｕｎｉｔ）２と、情報を記憶することができる記憶部３と、キーボードに代表される、ＰＣ１に対して情報の入力が可能な入力部４と、ディスプレイに代表される、ＰＣ１からの情報の出力が可能な出力部５とを備える。
【００１９】
図１に示す類似プラント情報検索部１３、プラント情報差分検出部１４及びプラント情報編集部１５は、記憶部３に記憶された情報の一例であるプログラムを用いてＣＰＵ２により実現される。プラント情報‐制御ロジック図対応情報記憶部１２は、記憶部３により実現される。プラント情報入力部１１は、入力部４により実現される。プラント情報編集結果表示部１６は、出力部５により実現される。なお、図１に示す制御ロジック図作成支援装置１０を実現するハードウェアはＰＣに限定されるものではなく、その他の計算機であってもよい。
【００２０】
図３は、図１に示すプラント情報入力部１１から入力されるプラント情報の一例を示す図である。図３に示すプラント情報は、プラントの仕様及びプラントに含まれる設備を木構造で表したものである。図３におけるルートである根２１には、システムレベルとして、プラントシステムの種別が記述されている。ここでは、根２１には「下水処理システム」と記述されている。
【００２１】
根２１の子としてのノードであり、下位階層である節２２ａ，２２ｂには、要求レベルとして、システムであるプラントの要求事項が記述されて特定されている。ここでは、節２２ａには「水質：リン及び窒素有り」と記述され、節２２ｂには「流入量：１００［ｍ３／ｄａｙ］」と記述されている。根２１と節２２ａ，２２ｂとのリンクである辺２３ａ，２３ｂには、節２２ａ，２２ｂの記述内容が満たすべき制約であるため、「制約」と記述されている。
【００２２】
節２２ａの子としてのノードであり、下位階層である節２４ａ，２４ｂには、機能及び工程レベルとして、システムであるプラントが備えるべき機能及び工程が記述されて特定されている。ここでは、節２４ａには「リン除去」と記述され、節２４ｂには「窒素除去」と記述されている。節２２ａと節２４ａ，２４ｂとのリンクである辺２５ａ，２５ｂには、節２４ａ，２４ｂの記述内容が実現手段であるため、「実現手段」と記述されている。節２２ｂの子としてのノードである節２４ｃ，２４ｄには、機能及び工程レベルとして、システムが備えるべき機能及び工程が記述されている。ここでは、節２４ｃには「膜工程」と記述され、節２４ｄには「薬品膜洗浄」と記述されている。節２２ｂと節２４ｃ，２４ｄとのリンクである辺２５ｃ，２５ｄには、節２４ｃ，２４ｄの記述内容が実現手段であるため、「実現手段」と記述されている。
【００２３】
節２４ａの子としてのノードであり、下位階層である節２６ａには、設備レベルとして、システムが備えるべき設備が記述され、節２４ｂの子としてのノードである節２６ｂには、設備レベルとして、システムが備えるべき設備が記述されている。ここでは、節２６ａには「嫌気槽」と記述され、節２６ｂには「無酸素槽」と記述されている。節２４ａと節２６ａとのリンクである辺２７ａ及び節２４ｂと節２６ｂとのリンクである辺２７ｂには、節２６ａ，２６ｂの記述内容が、システムが含むべき設備であるため、「含む」と記述されている。
【００２４】
節２４ｃの子としてのノードである節２６ｃ，２６ｄ，２６ｅには、設備レベルとして、システムが備えるべき設備が記述されている。ここでは、節２６ｃには「原水槽」と記述され、節２６ｄ，２６ｅには「好気槽」と記述されている。節２４ｃと節２６ｃとのリンクである辺２７ｃ、節２４ｃと節２６ｄとのリンクである辺２７ｄ及び節２４ｃと節２６ｅとのリンクである辺２７ｅには、節２６ｃ，２６ｄ，２６ｅの記述内容が、システムが含むべき設備であるため、「含む」と記述されている。
【００２５】
節２６ｃの子である葉２８ａ，２８ｂ，２８ｃには、機器レベルとして、システムが備えるべき機器が記述されている。ここでは、葉２８ａには「ポンプ」と記述され、葉２８ｂには「水位計」と記述され、葉２８ｃには「ｐＨ計」と記述されている。節２６ｃと葉２８ａとのリンクである辺２９ａ、節２６ｃと葉２８ｂとのリンクである辺２９ｂ及び節２６ｃと葉２８ｃとのリンクである辺２９ｃには、葉２８ａ，２８ｂ，２８ｃの記述内容が、システムが使用する機器であるため、「使用」と記述されている。
【００２６】
なお、図３においては、図面が煩雑になることを防ぐために、節２６ａ，２６ｂ，２６ｄ，２６ｅ，２４ｄの子の記載を省略しているが、節２６ａ，２６ｂ，２６ｄ，２６ｅ，２４ｄの子としての葉が設けられているものとする。
【００２７】
図３においては、下水処理システムの要求として、対象水に窒素とリンが有ること及び流入量が１００［ｍ３／ｄａｙ］であるとの制約を満たす必要がある。また、対象水に窒素とリンが有ることとの制約を満たすため、リン除去及び窒素除去の機能及び工程が含まれる。リン除去の機能及び工程には設備として嫌気槽が含まれ、窒素除去の機能及び工程には設備として無酸素槽が含まれる。
【００２８】
図４は、図１に示すプラント情報入力部１１から入力される制御ロジック図の一例を示す図である。図４に示す制御ロジック図においては、入力信号及び出力信号の繋がりを接続線で示している。また、論理演算子は、ＭＩＬ論理記号で示されている。図４に示す制御ロジック図には、各々接続線にて接続された、制御権切替装置５０と、ローカル制御装置５１ａと、リモート制御装置５１ｂと、論理和演算子５３ａ，５３ｂと、論理積演算子５５ａ，５５ｂと、否定演算子５５ｃと、インターロック５７ａと、軽故障５７ｂと、メーカＡ可変速ポンプ甲「入」５９ａと、メーカＡ可変速ポンプ甲「切」５９ｂとが示されている。
【００２９】
制御権切替装置５０の「ローカル」出力は、接続線５２ａにてローカル制御装置５１ａに接続されている。制御権切替装置５０の「リモート」出力は、接続線５２ｂにてリモート制御装置５１ｂに接続されている。
【００３０】
ローカル制御装置５１ａの「入」出力は、接続線５４ａにて論理和演算子５３ａに接続されている。ローカル制御装置５１ａの「切」出力は、接続線５４ｃにて論理和演算子５３ｂに接続されている。
【００３１】
リモート制御装置５１ｂの「入」出力は、接続線５４ｂにて論理和演算子５３ａに接続されている。リモート制御装置５１ｂの「切」出力は、接続線５４ｄにて論理和演算子５３ｂに接続されている。
【００３２】
論理和演算子５３ａの出力は、接続線５６ａにて論理積演算子５５ａに接続されている。論理和演算子５３ｂの出力は、接続線５６ｃにて論理積演算子５５ｂに接続されている。
【００３３】
インターロック５７ａの出力は、接続線５６ｂにて論理積演算子５５ａに接続されている。軽故障５７ｂの出力は、接続線５６ｄから分岐点５６ｅで分岐されて接続線５６ｄ１にて否定演算子５５ｃに接続され、接続線５６ｄ２にて論理積演算子５５ｂに接続されている。
【００３４】
論理積演算子５５ａの出力は、接続線５８ａにてメーカＡ可変速ポンプ甲「入」５９ａに接続されている。論理積演算子５５ｂの出力は、接続線５８ｂにてメーカＡ可変速ポンプ甲「切」５９ｂに接続されている。否定演算子５５ｃの出力は、接続線５６ｄ３にて論理積演算子５５ａに接続されている。
【００３５】
なお、本発明における制御ロジック図は、図４に示される例に限定されるものではなく、ＩＥＣ  ６１１３１−３で規定されているＦＢＤ（Ｆｕｎｃｔｉｏｎ  Ｂｌｏｃｋ  Ｄｉａｇｒａｍ）言語又はＳＦＣ（Ｓｅｑｕｅｎｔｉａｌ  Ｆｕｎｃｔｉｏｎ  Ｃｈａｒｔ）言語に代表される、処理に対する入力信号及び出力信号と論理演算子との関係性が示されたものであればよい。
【００３６】
図５は、プラント情報入力部１１の一動作例を示すフローチャートである。まず処理をスタートし、プラント情報入力部１１はプラント情報を取得する（Ｓ１１）。次に、取得したプラント情報中の設備並びに機能及び工程に制御ロジック図を対応付けてプラント情報‐制御ロジック図対応付け情報を生成する（Ｓ１２）。次に、プラント情報‐制御ロジック図対応付け情報を類似プラント情報検索部１３に送信して（Ｓ１３）、処理を終了する。
【００３７】
図６は、類似プラント情報検索部１３の一動作例を示すフローチャートである。類似プラント情報検索部１３は、プラント情報入力部１１から、作成対象プラントのプラント情報‐制御ロジック図対応付け情報を取得し、プラント情報差分検出部１４へ送信する（Ｓ３１）。次に、類似プラント情報検索部１３は、類似判定処理を行う（Ｓ３２）。サブルーチンである類似判定処理については後述する。次に、Ｓ３２の類似判定処理の結果より、作成対象プラントに最も類似するプラントのプラント情報‐制御ロジック図対応付け情報を取得して、プラント情報差分検出部１４へ送信して（Ｓ３３）、処理を終了する。
【００３８】
図７は、図６に示すＳ３２の類似判定処理の詳細を示すフローチャートである。類似プラント情報検索部１３は、作成対象プラント中の設備を１つ取得し、その設備が含まれる過去のプラント情報をプラント情報‐制御ロジック図対応情報記憶部１２から取得する（Ｓ３２１）。次に、類似プラント情報検索部１３は、検索された過去のプラント情報中の設備と根までのルートと、取得した作成対象プラントの設備と根までのルートとを比較し、一致するかどうかを判定して一致数を記憶する（Ｓ３２２）。そして、作成対象プラント中の全ての設備に対してＳ３２２の処理を行い、根まで辿ることができる設備が最も多い過去プラントを最も類似するものと判定して（Ｓ３２３）、処理を終了する。なお、作成対象プラント中の他の設備についても同様の処理を行う。このようにして、類似プラント情報検索部１３は、プラント情報入力部１１で入力されたプラント情報の設備が一致して、この設備より上位階層のプラントの仕様の一致数が最も多いプラント情報を類似プラントのプラント情報として取得する。
【００３９】
図８は、プラント情報差分検出部１４の一動作例を示すフローチャートである。プラント情報差分検出部１４は、類似プラント情報検索部１３から作成対象プラント及び類似プラントのプラント情報‐制御ロジック図対応付け情報を取得する（Ｓ４１）。次に、プラント情報差分検出部１４は、作成対象プラントのプラント情報‐制御ロジック図対応付け情報と類似プラントのプラント情報‐制御ロジック図対応付け情報とを比較し、作成対象プラントには無い要素、すなわち設備並びに機能及び工程が類似プラントにあった場合、当該要素を類似プラントのプラント情報‐制御ロジック図対応付け情報から削除する（Ｓ４２）。次に、プラント情報差分検出部１４は、Ｓ４２と同じく作成対象プラントと類似プラントのプラント情報‐制御ロジック図対応付け情報とを比較し、作成対象プラントにのみ存在する要素を取得し、Ｓ４２で当該要素を削除した類似プラントのプラント情報‐制御ロジック図対応付け情報と共にプラント情報編集部１５へ送信して（Ｓ４３）処理を終了する。
【００４０】
図９は、プラント情報編集部１５の一動作例を示すフローチャートである。プラント情報編集部１５は、プラント情報差分検出部１４から、類似プラントのプラント情報‐制御ロジック図対応付け情報と、作成対象プラントにのみ存在するプラント情報‐制御ロジック図対応付け情報の要素とを取得する（Ｓ５１）。次に、プラント情報編集部１５は、当該要素を過去のプラント情報から検索し、作成対象プラントのプラント情報‐制御ロジック図対応付け情報の当該要素と根までのルートが一致するかどうかを判定し、その一覧を取得する（Ｓ５２）。Ｓ５１で取得した類似プラントのプラント情報‐制御ロジック図対応付け情報に対して、Ｓ５２で取得した要素を追加して（Ｓ５３）、処理を終了する。
【００４１】
なお、Ｓ５２において、一致する要素が複数あった場合には、それらを追加する。また、完全に一致しない場合には、最も根の近くまで一致した要素を追加する。
【００４２】
本実施の形態によれば、作成対象プラントに類似する類似プラントを検出し、その過不足分を編集したプラント情報を取得することができ、この類似プラントを試案としてシステムを構築することができる。そのため、従来よりもプラントシステムを効率的に構築することができる。なお、本実施の形態によれば、システム構築経験が少ないシステムインテグレータでも、制御ロジック図の過去資産を流用して効率的に制御ロジック図を作成することができる。
【００４３】
実施の形態２．
図１０は、本発明の実施の形態２にかかる制御ロジック図作成支援装置の一構成例を示すブロック図である。図１０に示す制御ロジック図作成支援装置１０ａは、図１に示す制御ロジック図作成支援装置１０に対して制御ロジック図編集部６１が追加された構成である。図１０に示す制御ロジック図作成支援装置１０ａは、実施の形態１で取得した編集済みの類似プラントのプラント情報‐制御ロジック図対応付け情報から制御ロジック図を生成することで、制御ロジック図を効率的に生成することができる。なお、実施の形態１と同様の構成及び動作である点については説明を省略する。なお、図１０に示す制御ロジック図作成支援装置１０ａは、図２に示すＰＣ１により実現可能である。
【００４４】
図１１は、制御ロジック図編集部６１の一動作例を示すフローチャートである。制御ロジック図編集部６１は、プラント情報編集部１５から編集済みのプラント情報‐制御ロジック図対応付け情報を取得する（Ｓ６１）。そして、プラント情報‐制御ロジック図対応付け情報に対応付けられている制御ロジック図を組み合わせて対象プラントのから新たな制御ロジック図を作成して（Ｓ６２）、処理を終了する。
【００４５】
本実施の形態によれば、作成対象プラントに類似する類似プラントを検出し、その過不足分を編集したプラント情報から制御ロジック図を生成することができ、この制御ロジック図を試案として制御ロジック図を作成することができる。そのため、従来よりもプラントシステムを効率的に構築することができる。なお、本実施の形態によれば、システム構築経験が少ないシステムインテグレータでも、制御ロジック図の過去資産を流用して効率的に制御ロジック図を作成することができる。
【００４６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４７】
１  ＰＣ、２  ＣＰＵ、３  記憶部、４  入力部、５  出力部、１０，１０ａ  制御ロジック図作成支援装置、１１  プラント情報入力部、１２  プラント情報‐制御ロジック図対応情報記憶部、１３  類似プラント情報検索部、１４  プラント情報差分検出部、１５  プラント情報編集部、１６  プラント情報編集結果表示部、２１  根、２２ａ，２２ｂ，２４ａ，２４ｂ，２４ｃ，２４ｄ，２６ａ，２６ｂ，２６ｃ，２６ｄ，２６ｅ  節、２３ａ，２３ｂ，２５ａ，２５ｂ，２５ｃ，２５ｄ，２７ａ，２７ｂ，２７ｃ，２７ｄ，２７ｅ，２９ａ，２９ｂ，２９ｃ  辺、２８ａ，２８ｂ，２８ｃ  葉、５０  制御権切替装置、５１ａ  ローカル制御装置、５１ｂ  リモート制御装置、５２ａ，５２ｂ，５４ａ，５４ｂ，５４ｃ，５４ｄ，５６ａ，５６ｂ，５６ｃ，５６ｄ，５６ｄ１，５６ｄ２，５６ｄ３，５８ａ，５８ｂ  接続線、５３ａ，５３ｂ  論理和演算子、５５ａ，５５ｂ  論理積演算子、５５ｃ  否定演算子、５６ｅ  分岐点、５７ａ  インターロック、５７ｂ  軽故障、５９ａ  メーカＡ可変速ポンプ甲「入」、５９ｂ  メーカＡ可変速ポンプ甲「切」、６１  制御ロジック図編集部。
【図１】
2017158926.tif 000003
【図２】
2017158926.tif 000004
【図３】
2017158926.tif 000005
【図４】
2017158926.tif 000006
【図５】
2017158926.tif 000007
【図６】
2017158926.tif 000008
【図７】
2017158926.tif 000009
【図８】
2017158926.tif 000010
【図９】
2017158926.tif 000011
【図１０】
2017158926.tif 000012
【図１１】
2017158926.tif 000013
【国際調査報告】
2017158926.tif 000014
2017158926.tif 000015
2017158926.tif 000016
2017158926.tif 000017